(57)【要約】      （修正有）【課題】サポーターやコルセット等の身辺衣料は、本来肌に直接装着するように設計されているが、既存のサポーターやコルセット等においては、生地の重なる部分や縫製箇所において、厚みによる肌への跡残りや、摩擦によるストレスを感じない身辺衣料の提供。【解決手段】複数の歯を有する第一の生地と、複数の歯を有する第二の生地のうち、一方の歯が他方の生地本体に重なるよう組み合わされた状態で、第一の生地と第二の生地のそれぞれの歯部１に接着剤３を備えた身辺衣料。【選択図】図１
0003221658.tif 000002
【実用新案登録請求の範囲】
【請求項１】
複数の歯を有する第一の生地と、複数の歯を有する第二の生地のうち、一方の歯が他方の生地本体に重なるよう組み合わされた状態で、第一の生地と第二の生地のそれぞれの歯の部分に設けられた接着剤を備えた身辺衣料。
【考案の詳細な説明】
【技術分野】
【０００１】      本考案はサポーター等の身辺衣料に関するものである。
【背景技術】
【０００２】      身辺衣料とは、肌に接するような衣類の総称であって、例えば、サポーターやコルセット、下着類である。身辺衣料のひとつにサポーターがあるが、元来サポーターとは、スポーツの際に傷害を負った部分を覆うことで衝撃から保護し、包帯の代用をするものとして着用されることが多かったが、近年ではテーピング効果をもたらす機能を持ち、曲がるべき方向にはたわみ、曲げると危険な方向には曲がらないように、関節や筋肉などの構造を考慮した上で固定措置を行うことで、スポーツの際に関わらず、日常生活で起こる痛みや動きのサポートを行うためのものとしても着用されている。また、コルセット等においても同様に、身体のライン補正から運動補助具まで多様な性能があり、現代では、直接肌に接するように設計されたものが多く着用されている。
【考案の概要】
【考案が解決しようとする課題】
【０００３】      しかし、サポーターやコルセット等は本来肌に直接装着するように設計されているが、既存のサポーターやコルセット等においては、生地の重なる部分や縫製箇所において、厚みによる肌への跡残りや、摩擦によるストレスを感じるという課題がある。
【課題を解決するための手段】
【０００４】      そこで、本考案はこの課題に対して、長時間の着用においても肌への負担が少なくなるように接着・接合していることを特徴とするサポーターやコルセット等の身辺衣料に関するものである。筋肉・靭帯・腱などの可動部を、伸縮性のある素材で固定することで、その部分が適切な範囲で動くことが出来るようにするための身辺衣料であって、複数の歯を有する第一の生地と、複数の歯を有する第二の生地のうち、一方の歯が他方の生地本体に重なるよう組み合わされた状態で、第一の生地と第二の生地のそれぞれの歯の部分に接着剤を備えた身辺衣料である。
【考案の効果】
【０００５】      複数の歯を有する第一の生地と、複数の歯を有する第二の生地のうち、一方の歯が他方の生地本体に重なるよう組み合わされた状態で、第一の生地と第二の生地のそれぞれの歯の部分に設けられた接着剤によって接合することで、糸による縫製で接合されたものよりも接着部分や肌へ当たる生地がフラットになり、糸が肌に当たることがないため、着用者が直接肌に装着した際にも、肌への厚みによる跡残りや、摩擦によるストレスを和らげることができる。また、接着剤で接合することで、糸による縫製加工で生地が伸び難くなることを防ぐことができ、着用感が向上するという効果がある。尚、第一の生地と第二の生地の歯の形状においては、台形や四角、丸など多様な形を含むものとし、歯と歯の間には必ず間隔が開くように設計されているものとする。
【考案を実施するための形態】
【０００６】      図１は複数の歯を有する生地パーツの説明をした図であり、１は歯部、２は生地本体、３は第一の生地と第二の生地のそれぞれの歯の部分に設けられた接着剤である。図２は複数の歯を有する第一の生地と、複数の歯を有する第二の生地のうち、一方の歯が他方の生地本体に重なるよう組み合わされた状態の表面外側を表した図である。図３は複数の歯を有する第一の生地と、複数の歯を有する第二の生地のうち、一方の歯が他方の生地本体に重なるよう組み合わされた状態の裏面内側（肌面）を表した図である。図４は本考案の使用例であるサポーターの図である。図５は、従来の縫製品である感応試験用テストピース１である。図６は、本考案の感応試験用テストピース２である。
【０００７】      複数の歯を有する第一の生地と、複数の歯を有する第二の生地のうち、一方の歯が他方の生地本体に重なるよう組み合わされた図２の状態において、第一の生地と第二の生地のそれぞれの歯の部分に設けられた接着剤３によって接合することで、糸による縫製で接合されたものよりも接着部分や肌へ当たる生地が図３のようにフラットになり、糸が肌に当たることがないため、着用者が直接肌に装着した際にも、肌への厚みによる跡残りや、摩擦によるストレスを和らげることができる。また、接着剤で接合することで、糸による縫製加工で生地が伸び難くなることを防ぐことができ、着用感が向上するという効果がある。
【０００８】      本考案の図５及び図６に表した、テストピース１とテストピース２の感応試験結果を表１に示す。図５及び図６において、ＡとＢの生地の接合部分に対し矢印の方向のように対角線状に引っ張った感応試験である。
【０００９】
【表１】
0003221658.tif 000003
【００１０】      ＡとＢの生地の接合部分に対し対角線状に引っ張った際に、伸び難い場合は１、やや伸びる場合は３、良く伸びると感じる場合は５で評価した場合、被験者Ａ〜Ｄの合計数が、縫製加工品に比べ、本考案である接着加工品のほうが高い数値を示したため、本考案のテストピース２は、縫製加工品のテストピース１よりも伸び率が良いという評価であった。
【００１１】      尚、第一の生地と第二の生地の歯の形状においては、図１のような台形や、四角、丸など多様な形を含むものとし、歯と歯の間には必ず間隔が開くように設計されているものとする。また、歯の形状は、図４のサポーター等の身辺衣料において、よりデザイン性を向上させるものとなる。
【図面の簡単な説明】
【００１２】
【図１】複数の歯を有する生地パーツの説明図
【図２】複数の歯を有する生地を組み合わせた表面外側の説明図
【図３】複数の歯を有する生地を組み合わせた裏面内側の説明図
【図４】本考案を使用した肘サポーターの説明図
【図５】従来の縫製品であるテストピース１の説明図
【図６】本考案のテストピース２の説明図
【符号の説明】
【００１３】    １  歯部
２  生地本体
３  接着剤
【図１】
0003221658.tif 000004
【図２】
0003221658.tif 000005
【図３】
0003221658.tif 000006
【図４】
0003221658.tif 000007
【図５】
0003221658.tif 000008
【図６】
0003221658.tif 000009
【手続補正書】
【提出日】平成31年3月13日(2019.3.13)
【手続補正１】
【補正対象書類名】実用新案登録請求の範囲
【補正対象項目名】全文
【補正方法】変更
【補正の内容】
【実用新案登録請求の範囲】
【請求項１】
複数の歯を有する第一の生地と、複数の歯を有する第二の生地のうち、一方の歯が他方の生地本体に重なるよう組み合わされた状態で、第一の生地と第二の生地のそれぞれの歯の部分に設けられた接着剤を備え、既に組み合わされている身辺衣料。